(57)【要約】【課題】  本発明は、ディスク収納ケース及び記録媒体に関し、例えばディスク状の記録媒体を収納して持ち運ぶようになされたディスク収納ケース及びその記録媒体に適用して、簡易かつ確実に収納及び取り出すことができるようにする。【解決手段】  本発明は、ディスク状の記録媒体２１をその一方の面及び他方の面から挟持して収納することにより、記録媒体２１の収納及び取り出し時に該記録媒体２１に応力が加わることを防止する。【選択図】        図１
2005255203.tif 000002
【特許請求の範囲】
【請求項１】
ディスク形状の記録媒体を収納する略箱形の第１のケースと、前記第１のケースに回動自在に枢支され前記第１のケースの開口部を閉じることにより前記第１のケースに収納された前記記録媒体を取り出し困難にする第２のケースとを有するディスク収納ケースにおいて、
前記第１のケースは、
内底面に前記記録媒体の一方の面を支持する支持部を備え、前記記録媒体の一方の面を前記内底面に対向させるように前記支持部により支持し、
前記第２のケースは、
前記支持部に支持された前記記録媒体を前記支持部との間で挟持する挟持手段を備える
ことを特徴とするディスク収納ケース。
【請求項２】
前記第１のケースは、
前記記録媒体の前記第１のケース内での収納位置を位置決めするケース内位置決めガイド手段を備える
ことを特徴とする請求項１に記載のディスク収納ケース。
【請求項３】
前記第１のケースは、
収納された前記記録媒体の回転方向の動きを規制して位置決めする回転方向位置決め手段を備える
ことを特徴とする請求項１に記載のディスク収納ケース。
【請求項４】
中心孔を有するディスク状に形成されると共に少なくとも一方の面に記録領域が設けられ、所定の収納ケースに収納される記録媒体において、
前記記録領域以外の部位に前記収納ケースの位置決め手段に係合される係合部を備える
ことを特徴とする記録媒体。
【請求項５】
前記係合部は、
一方の面から他方の面に貫通する貫通孔である
ことを特徴とする請求項４に記載の記録媒体。
【発明の詳細な説明】
【技術分野】
【０００１】
本発明は、ディスク収納ケース及び記録媒体に関し、例えばディスク状の記録媒体を収納して持ち運ぶようになされたディスク収納ケース及びそのディスク状記録媒体に適用することができる。本発明は、ディスク状の記録媒体をその一方の面及び他方の面から挟持して収納することにより、記録媒体の収納及び取り出し時に該記録媒体に応力が加わることを防止して、簡易かつ確実に収納及び取り出すことができるようにする。
【背景技術】
【０００２】
従来、ＣＤ（Compact Disk）、ＤＶＤ（Digital Versatile Disk）等のディスク状記録媒体を不使用時に収納するディスク収納ケースにおいては、ディスク状記録媒体の中心部に設けられたセンターホールをディスク収納ケースに設けられたチャック部で保持して、ディスク状記録媒体を保持するようになされている。
【０００３】
すなわちディスク収納ケースにおいては、図５に示すように、樹脂成型により形成されたケース本体２のケース内底面の中心部に、ケース本体２と一体成型により複数の突起部３を円周状に配置してなるチャック部４が設けられる。
【０００４】
チャック部４は、直径Ｌがディスク状記録媒体５のセンターホール６の直径よりも僅かに大きく形成されており、またチャック部４に設けられた複数の突起部３は、それぞれが外側及び内側に撓むようになされている。これにより図６に示すように、ディスク状記録媒体５のセンターホール６をチャック部４に嵌合させた際に、各突起部３が撓んでセンターホール６をそれぞれ内側から矢印Ａで示す外側に向かって押さえ、ディスク状記録媒体５を保持するようになされている。
【０００５】
ところで係る構成のディスク収納ケース１においては、チャック部４の各突起部３を肉薄に形成することで撓むようになされており、この結果突起部３が破損し易く、破損した場合には、ディスク状記録媒体５のセンターホール６を内側から十分に押さえることが困難になり、ケース本体２内においてチャック部４に保持されたディスク状記録媒体５が回り易くなり、ディスク面に傷が付く問題があった。
【０００６】
またチャック部４の成型精度によりその直径Ｌが足りない場合においても同様にして、ディスク状記録媒体５のセンターホール６を内側から十分に押さえることが困難になり、ケース本体２内においてチャック部４に保持されたディスク状記録媒体５が回り易くなり、ディスク面に傷が付く問題があった。
【０００７】
またこれとは逆に、チャック部４の直径Ｌが大きすぎる場合、ディスク状記録媒体５のセンターホール６を嵌合させることが困難になり、またたとえ嵌合させることができたとしても、チャック部４によりディスク状記録媒体５のセンターホール６が強固に押さえられ、ケース本体２から取り外す際に、ディスク状記録媒体５に強い応力がかかって傷、クラック等が発生する問題があった。
【０００８】
この種のディスク収納ケースでは、例えば特開２００３−１６０１８７号公報に、保持ケースに対して、ヒンジにより開閉可能に固定ケースを設け、保持ケースの弾性体上にディスク状記録媒体を載置した後、固定ケースを閉じることにより、固定ケースに設けられたホルダー部によりディスク状記録媒体を保持する方法が開示されるようになされており、この方法によれば、ディスク収納ケースへの収納作業を簡易化することができる。
【０００９】
しかしながら特開２００３−１６０１８７号公報に開示のディスク収納ケースでは、図５に示したディスク収納ケース２の場合と同様にして、ディスク状記録媒体のセンターホールをホルダー部により内側から押さえるようになされていることにより、ホルダー部の成型精度によってはディスク状記録媒体を押さえる力が不足し、又は過大となる問題があった。
【特許文献１】特開２００３−１６０１８７号公報
【発明の開示】
【発明が解決しようとする課題】
【００１０】
本発明は以上の点を考慮してなされたもので、ディスク状記録媒体への傷付き等を有効に回避して簡易かつ確実に収納及び取り出すことができるディスク収納ケース及び記録媒体を提案しようとするものである。
【課題を解決するための手段】
【００１１】
かかる課題を解決するため請求項１の発明においては、ディスク形状の記録媒体を収納する略箱形の第１のケースと、第１のケースに回動自在に枢支され第１のケースの開口部を閉じることにより第１のケースに収納された記録媒体を取り出し困難にする第２のケースとを有するディスク収納ケースに適用して、第１のケースは、内底面に記録媒体の一方の面を支持する支持部を備え、記録媒体の一方の面を内底面に対向させるように支持部により支持し、第２のケースは、支持部に支持された記録媒体を支持部との間で挟持する挟持手段を備えるようにする。
【００１２】
また請求項４の発明においては、中心孔を有するディスク状に形成されると共に少なくとも一方の面に記録領域が設けられ、所定の収納ケースに収納されて保管される記録媒体において、記録領域以外の部位に収納ケースの位置決め手段に係合される係合部を備えるようにする。
【００１３】
請求項１の構成により、ディスク形状の記録媒体を収納する略箱形の第１のケースと、第１のケースに回動自在に枢支され第１のケースの開口部を閉じることにより第１のケースに収納された記録媒体を取り出し困難にする第２のケースとを有するディスク収納ケースに適用して、第１のケースは、内底面に記録媒体の一方の面を支持する支持部を備え、記録媒体の一方の面を内底面に対向させるように支持部により支持し、第２のケースは、支持部に支持された記録媒体を支持部との間で挟持する挟持手段を備えることにより、記録媒体の中心孔を内側から押さえる場合に比べて、記録媒体の収納及び取り出し時に応力が加わらないようにすることができ、記録媒体を簡易かつ確実に収納及び取り出すことができる。
【００１４】
また請求項４の構成により、中心孔を有するディスク状に形成されると共に少なくとも一方の面に記録領域が設けられ、所定の収納ケースに収納されて保管される記録媒体に適用して、記録領域以外の部位に収納ケースの位置決め手段に係合される係合部を備えることにより、収納ケース内に収納した際に、収納ケースの係合部との係合により回転方向の動きを規制して位置決めすることができる。
【発明の効果】
【００１５】
本発明によれば、記録媒体の収納及び取り出し時に該記録媒体に応力が加わることを防止して、簡易かつ確実に収納及び取り出すことができる。
【発明を実施するための最良の形態】
【００１６】
以下、適宜図面を参照しながら本発明の実施例を詳述する。
【実施例１】
【００１７】
（１）実施例の構成
図１は、本発明に係るディスク収納ケース１０及びこのディスク収納ケース１０に収納されるディスク状記録媒体２１を示す斜視図である。このディスク収納ケース１０は、下ケース１１にディスク状記録媒体２１を収納して上ケース３１によりこのディスク状記録媒体２１を下ケース１１との間で挟持するようになされている。
【００１８】
すなわち下ケース１１は、硬質樹脂材料等により周囲に壁面部１２を形成してなる箱形状に形成され、この下ケース１１に対してその壁面部１２に設けられたヒンジ１３により上ケース３１が軸支されている。上ケース３１は硬質樹脂材料等により３方向に壁面部３２を形成してなる略箱形状でなり、ヒンジ１３を回動中心として回動させることにより、下ケース１１の上部を閉じた状態又は開いた状態にすることができるようになされている。
【００１９】
図２（Ａ）は、下ケース１１及び上ケース３１を開いた状態を示す平面図であり、下ケース１１の内面部及び上ケース３１の内面部が共に示された図である。また図２（Ｂ）は、図２（Ａ）のディスク収納ケース１０の側面図である。
【００２０】
図２（Ａ）、（Ｂ）に示すように、下ケース１１においては、その箱形状の内底面１４の略中心に円形の台座１５が形成されており、この台座１５の上面部１６には、ディスク状記録媒体２１のセンターホール２２（図１）の口径と同等又は僅かに小さい直径でなる円柱形状のセンターガイド部１７が形成されている。これによりディスク状記録媒体２１を下ケース１１に収納する際に、センターガイド部１７をディスク状記録媒体２１のセンターホール２２に挿入するようにして、ディスク状記録媒体２１を台座１５の上面部１６に載置することにより、下ケース１１内におけるディスク状記録媒体２１の収納位置を位置決めすることができるようになされている。
【００２１】
また台座１５の上面部１６には、ディスク状記録媒体２１をその回転方向の動きを規制して位置決めする円柱形状の位置決め用突起部１８、１９が形成されている。この位置決め用突起部１８、１９は、ディスク状記録媒体２１のセンターホール２２の外側に設けられた位置決め孔２３、２４に対応した位置に設けられ、これらの位置決め孔２３、２４の口径と同等又は僅かに小さい直径により形成されている。これによりこの位置決め用突起部１８、１９がディスク状記録媒体２１の位置決め孔２３、２４に挿入されるようにディスク状記録媒体２１を台座１５の上面部１６に載置することにより、ディスク収納ケース１０に収納されたディスク状記録媒体２１の回転方向の動きを規制して位置決めすることができるようになされている。
【００２２】
ここでディスク収納ケース１０において、下ケース１１の台座１５に設けられたセンターガイド部１７の高さは、ディスク状記録媒体２１の厚みよりも大きく、また上ケース３１を閉じた際に上ケース３１の上面部にほぼ接触するように形成されている。またセンターガイド部１７と併設された位置決め用突起部１８、１９は、センターガイド部１７よりも低く形成されている。これにより台座１５にディスク状記録媒体２１を載置する際に、ディスク状記録媒体２１のセンターホール２２をセンターガイド部１７に挿入した状態でディスク状記録媒体２１を回転方向に回すことにより、ディスク状記録媒体２１の位置決め孔２３、２４を位置決め用突起部１８、１９に容易に合わせることができるようになされている。
【００２３】
また上ケース３１には、その内側上面部３２の一部に板ばね形状の押圧部３３、３４でなるクランプ部３５が上ケース３１と一体成型により設けられている。このクランプ部３５は、上ケース３１を閉じた状態で台座１５に載置されたディスク状記録媒体２１のセンターホール２２の外側の面部を直接押圧してディスク状記録媒体２１を台座１５との間で挟持するようになされている。これによりこのクランプ部３５にあっては、台座１５の上面部１６に対応する位置であって、台座１５に設けられたセンターガイド部１７及び位置決め用突起部１８、１９に対応する位置を避ける位置に形成されている。
【００２４】
ここで図３（Ａ）はディスク状記録媒体２１及びディスク収納ケース１０を示す平面図であり、図３（Ｂ）は下ケース１１の台座１５にディスク状記録媒体２１を載置した状態を示す側面図である。図３（Ａ）に示すように、ディスク状記録媒体２１においては、中心部に一方の面から他方の面に貫通する円形のセンターホール２２が設けられ、またその外側には、一方の面から他方の面に貫通する同様形状でなる２つの円形の位置決め孔２３、２４が互いに１８０°の角間隔を隔てて設けられている。このディスク状記録媒体２１においては、少なくとも一方の面において、センターホール２２から外側に所定幅を隔てて記録領域２５が形成されており、センターホール２２と記録領域２５の間は記録再生に関わりない領域となっている。これによりディスク状記録媒体２１においては、この領域に位置決め孔２３、２４を形成するようになされており、また上ケース３１（図２）においてはこの領域に対応する位置に押圧部３３、３４を設けて、該領域を押圧するようになされている。これによりディスク状記録媒体２１の記録領域２５が設けられた側の面を押圧部３３、３４によって押圧される側に向けて収納した場合に、記録領域２５に傷等が付くことを防止することができる。因みに下ケース１１の台座１５の直径は、ディスク状記録媒体２１の記録領域２５にかからない程度の大きさに形成されていることにより、記録領域２５が設けられた側の面を台座１５側に向けて収納した場合であっても、記録領域２５に傷等が付くことを防止することができるようになされている。
【００２５】
これにより図４（Ａ）に示すように、ディスク収納ケース１０においては、下ケース１１の台座１５にディスク状記録媒体２１を載置した状態で、上ケース３１を閉じることにより、図４（Ｂ）に示すように、上ケース３１の押圧部３３、３４と台座１５とによりディスク状記録媒体２１を挟持してディスク収納ケース１０内で保持することができるようになされている。
これらによりこの実施例において、下ケース１１は、ディスク形状の記録媒体を収納する略箱形の第１のケースを構成し、上ケース３１は、第１のケースに回動自在に枢支され第１のケースの開口部を閉じることにより第１のケースに収納された記録媒体を取り出し困難にする第２のケースを構成し、台座１５は、記録媒体の一方の面を支持する支持部を構成し、押圧部３３、３４によるクランプ部３５は、支持部に支持された記録媒体を支持部との間で挟持する挟持手段を構成するようになされている。
【００２６】
（２）実施例の動作
以上の構成において、このディスク収納ケース１０では、下ケース１１の台座１５と上ケース３１のクランプ部３５とによりディスク状記録媒体２１を挟持することで収納されたディスク状記録媒体２１を保持するようになされている。
【００２７】
このディスク状記録媒体２１の収納時においては、下ケース１１の台座１５の上面部１６に設けられたセンターガイド部１７及び位置決め用突起部１８、１９をディスク状記録媒体２１のセンターホール２２及び位置決め孔２３、２４にそれぞれ挿入するようにしてディスク状記録媒体２１を台座１５に載置する。この場合位置決め用突起部１８、１９は、センターガイド部１７よりも低く形成されていることにより、センターガイド部１７をディスク状記録媒体２１のセンターホール２２に挿入した後、ディスク状記録媒体２１の位置決め孔２２、２３を位置決め用突起部１８、１９に合わせてディスク状記録媒体２１を落とし込むようになされている。
【００２８】
これによりディスク状記録媒体２１は、センターホール２２に挿入されたセンターガイド部１７により下ケース１１内において位置決めされ、また位置決め孔２３、２４に挿入された位置決め用突起部１８、１９により回転方向の動きが規制されて回転方向に位置決めされた状態となる。
【００２９】
この場合、センターガイド部１７及び位置決め用突起部１８、１９は、それぞれディスク状記録媒体２１のセンターホール２２及び位置決め孔２３、２４と同等又は僅かに小さい直径で形成されていることにより、ディスク状記録媒体２１をセンターガイド部１７及び位置決め用突起部１８、１９により位置決めしながら台座１５の上面部１６に載置する際に、センターホール２２及び位置決め孔２３、２４に対してセンターガイド部１７及び位置決め用突起部１８、１９が容易に挿入される。これによりディスク状記録媒体２１の収納時において、ディスク状記録媒体２１に応力が加わることを防止し得る。
【００３０】
さらにディスク状記録媒体２１が下ケース１１の所定位置に位置決めされた状態において、上ケース３１を閉じると、上ケース３１のクランプ部３５の押圧部３３、３４がディスク状記録媒体２１のセンターホール２２の外側の面部を押圧することにより、ディスク状記録媒体２１は、台座１５及びクランプ部３５により挟持される。
【００３１】
このようにしてディスク収納ケース１０に収納されたディスク状記録媒体２１は、台座１５及びクランプ部３５による挟持により、そのセンターホール２２に挿入されたセンターガイド部１７によりディスク収納ケース１０内での所定位置に位置決めされた状態で保持され、また位置決め孔２３、２４に挿入された位置決め用突起部１８、１９により回転方向の動きが規制された状態で保持されることとなり、持ち運び時等において振動等によりディスク収納ケース１０内で不用意に動かないようになされ、これにより表面に傷が付くことを防止することができる。
【００３２】
またこの場合、ディスク状記録媒体２１は、位置決め用突起部１８、１９によりディスク収納ケース１０に対して所定方向又は１８０°回転した方向のいずれかに向いた位置で位置決めされることとなる。すなわちディスク状記録媒体２１の記録領域２５が設けられた一方の面とは反対側の面に絵や文字等を印刷してなるレーベル面がディスク収納ケース１０に対して所定方向又は１８０°回転した方向のいずれかに向くこととなる。
【００３３】
しかしてディスク収納ケース１０の下ケース１１及び又は上ケース３１を透明な樹脂材料で形成して、ディスク状記録媒体２１のレーベル面をディスク収納ケース１０の外部から目視し得るようにすれば、ディスク収納ケース１０の外部からレーベル面の絵や文字等をディスク収納ケース１０に対して常に所定角度又は１８０°回転した状態で見ることができるようになる。これによりディスク状記録媒体２１に対して、ディスク収納ケース１０に収納した際の位置を基準にしてレーベル面をデザインしておけば、このディスク状記録媒体２１のレーベル面を従来のディスク収納ケースのレーベル紙に代えて用いることができる。またディスク状記録媒体２１を回転方向に位置決めすることができることにより、下ケース１１及び又は上ケース３１の一部に所定の絵や文字が印刷されたレーベル紙を貼着等により設け、このレーベル紙のデザインとディスク状記録媒体２１のレーベル面のデザインとを関連付けるようにして両方が外部から見えるようにすることもできる。
【００３４】
一方、ディスク収納ケース１０に収納されたディスク状記録媒体２１を取り出す場合、上ケース３１を開くことにより、ディスク状記録媒体２１は、クランプ部３５及び台座１５による挟持から解放されて台座１５の上面部１６において持ち上げ可能に載置された状態となる。この状態においてディスク状記録媒体２１をセンターガイド部１７に沿って持ち上げることにより、下ケース１１から取り出すことができる。
【００３５】
この場合、センターガイド部１７及び位置決め用突起部１８、１９は、それぞれディスク状記録媒体２１のセンターホール２２及び位置決め孔２３、２４と同等又は僅かに小さい直径で形成されていることにより、ディスク状記録媒体２１を台座１５の上面部１６から持ち上げる際に、センターホール２２及び位置決め孔２３、２４からセンターガイド部１７及び位置決め用突起部１８、１９が容易に引き抜かれる。これによりディスク状記録媒体２１の取り出し時において、ディスク状記録媒体２１に応力が加わることを防止し得る。
【００３６】
これらによりこのディスク収納ケース１０においては、台座１５及びクランプ部３５によりディスク状記録媒体２１をその一方の面及び他方の面から挟持することにより、センターホール２２を内側から押さえる場合に比べて、ディスク状記録媒体２１の出し入れ時に応力が加わらないようになされており、ディスク状記録媒体２１の破損を防止し得るとともに、容易に収納及び取り出すことができる。
【００３７】
また位置決め用突起部１８、１９によりディスク状記録媒体２１の回転方向の動きを規制して位置決めすることにより、ディスク収納ケース１０内でディスク状記録媒体２１が回って表面に傷が付くことを防止し得ると共に、ディスク状記録媒体２１のレーベル面に印刷された絵や文字等をディスク収納ケース１０に対して常に所定方向又はこれとは１８０°回転した方向に向けた状態で収納することができる。
【００３８】
また収納されたディスク状記録媒体２１は、センターガイド部１７によりディスク収納ケース１０内での所定位置に位置決めされ、また位置決め用突起部１８、１９により回転方向の動きが規制されることにより、クランプ部３５によるディスク状記録媒体２１の挟持においては、ディスク状記録媒体２１のセンターホール２２の外側の面部を比較的弱い力でクランプすればよく、これにより上ケース３１と一体成型される押圧部３３、３４として比較的簡単な形状のものを用いることができると共に、高精度のものを用いる必要がなくなる。これにより上ケース３１の製造に係る金型加工が容易となり、また成型条件も緩和される。
【００３９】
（３）実施例の効果
以上の構成によれば、下ケースの台座１５と上ケースの押圧部３３、３４によりディスク状記録媒体２１をその一方の面及び他方の面から挟持するようにしたことにより、ディスク状記録媒体２１の収納及び取り出し時に該記録媒体に応力が加わることを防止して、簡易かつ確実に収納及び取り出すことができる。
【００４０】
また下ケース１１の台座１５の上面部１６に形成されたセンターガイド部１７をディスク状記録媒体２１のセンターホール２２に挿入するようにしてディスク状記録媒体２１を収納することにより、下ケース１１内でのディスク状記録媒体２１の収納位置を容易に位置決めすることができる。
【００４１】
また下ケース１１の台座１５の上面部１６に形成された位置決め用突起部１８、１９を、ディスク状記録媒体２１に形成された位置決め孔２３、２４に挿入するようにしてディスク状記録媒体２１を収納することにより、収納されたディスク状記録媒体２１の回転方向の動きを規制して位置決めすることができ、持ち運び時等において振動によりディスク収納ケース１０内でディスク状記録媒体２１が回ることを防止し得、これにより表面に傷が付くことを防止することができる。またこの場合、ディスク状記録媒体２１のレーベル面に印刷された絵、文字等がディスク収納ケース１０に対して所定方向又は１８０°回転した方向に向くように収納することができる。
【実施例２】
【００４２】
なお上述の実施例においては、上ケース３１の押圧部３３、３４として上ケース３１と一体成型された板ばね形状の部位を用いる場合について述べたが、本発明はこれに限らず、例えば弾性部材を上ケース３１に貼り付ける等、要は弾性によりディスクを押圧する手段であれば種々のものを用いることができる。
【００４３】
また上述の実施例においては、円柱形状のセンターガイド部１７により下ケース１１内でのディスク状記録媒体２１の収納位置を位置決めする場合について述べたが、本発明はこれに限らず、例えば断面が半円形状の柱状部材等、要はディスクのセンターホールに抵抗なく挿入し得る部材であれば種々の形状のものを用いることができる。またこのセンターガイド部１７の上面部を面取り加工するようにすれば、さらにディスク状記録媒体２１を容易に所定位置に位置決めして台座１５に載置することができる。
【００４４】
また上述の実施例においては、２つの同一形状の位置決め用突起部１８、１９によりディスク状記録媒体２１を回転方向に位置決めする場合について述べたが、本発明はこれに限らず、２つの位置決め用突起部を異なる直径で形成するようにしてもよい。この場合これに対応してディスク状記録媒体２１の２つの位置決め孔２３、２４を異なる口径で形成すれば、ディスク状記録媒体２１を回転方向に一義的に位置決めすることができる。またこれに代えて、２つの位置決め用突起部１８、１９を同一形状で形成し、これら２つの位置決め用突起部１８、１９とセンターガイド部１７とのそれぞれの間隔、又はセンターガイド部１７を中心とした円周上に配置される２つの位置決め用突起部１８、１９の角間隔をそれぞれ変えると共にこれに対応してディスク状記録媒体２１の位置決め孔２３、２４を形成するようにしても、ディスク状記録媒体２１を回転方向に一義的に位置決めすることができる。
【００４５】
また上述の実施例においては、ディスク状記録媒体２１のセンターホール２２に挿入されるセンターガイド部１７とディスク状記録媒体２１を回転方向に位置決めする位置決め用突起部１８、１９を別体で設ける場合について述べたが、本発明はこれに限らず、一体に形成するようにしてもよい。この場合図５に示すように、台座１５の上面部１６に設けられた円柱形状のセンターガイド部４７の周側面に、位置決め用突起部４８、４９を一体に形成し、ディスク状記録媒体２１のセンターホール５２の一部に位置決め用突起部４８、４９に対応した位置決め用の切り欠き５３、５４を形成するようにすればよい。なお図５において図１との対応部分には同一符号を付し、重複した説明は省略する。
【００４６】
このようにセンターガイド部４７及び位置決め用突起部４８、４９を一体に形成するようにすれば、部品点数を削減して組み立て工程を簡略化することができる。
【００４７】
また上述の実施例においては、２つの位置決め用突起部１８、１９によりディスク状記録媒体２１を回転方向に位置決めする場合について述べたが、本発明はこれに限らず、１つの位置決め用突起部により回転方向に位置決めするようにしてもよい。この場合、これに対応してディスク状記録媒体２１の位置決め孔を１つ設けることにより、ディスク状記録媒体２１の回転方向の位置を一義的に決めることができる。
【００４８】
また上述の実施例においては、センターガイド部１７により下ケース１１内でのディスク状記録媒体２１の収納位置を位置決めする場合について述べたが、本発明はこれに限らず、センターガイド部１７に代えて例えば下ケース１１の内底面にディスク状記録媒体２１の外周部を位置決めする突起、段差等を設けてディスク状記録媒体２１の外周部により位置決めするようにしてもよい。またこれに代えて下ケース１１の壁面部１２をディスク状記録媒体２１の直径に合わせて形成することにより、この壁面部１２により下ケース１１内でのディスクの収納位置を決めるようにしてもよい。
【００４９】
また上述の実施例においては、ディスク状記録媒体２１として円盤形状のものを用いる場合について述べたが、本発明はこれに限らず、外形が四角形のカード型でなる記録媒体を用いる場合においても本発明を適用することができる。
【産業上の利用可能性】
【００５０】
本発明は、例えばディスク状の記録媒体を収納して持ち運ぶようになされたディスク収納ケース及びその記録媒体に適用することができる。
【図面の簡単な説明】
【００５１】
【図１】本発明の実施例に係るディスク収納ケース及び記録媒体を示す斜視図である。
【図２】図１のディスク収納ケースを示す平面図及び側面図である。
【図３】図１のディスク収納ケースを示す平面図及び側面図である。
【図４】図１のディスク収納ケースの側面図である。
【図５】他の実施例に係るディスク収納ケース及びディスク状記録媒体を示す平面図である。
【図６】従来のディスク収納ケースを示す平面図である。
【図７】従来のディスク収納ケースによる記録媒体の保持状態を示す部分的平面図である。
【符号の説明】
【００５２】
１０……ディスク収納ケース、１１……下ケース、１５……台座、１６……上面部、１７、４７……センターガイド部、１８、１９、４８、４９……位置決め用突起部、２１……ディスク状記録媒体、２２、５２……センターホール、２３、２４……位置決め孔、２５……記録領域、３１……上ケース、３３、３４……押圧部、３５……クランプ部、５３、５４……位置決め用切り欠き部
【図１】
2005255203.tif 000003
【図２】
2005255203.tif 000004
【図３】
2005255203.tif 000005
【図４】
2005255203.tif 000006
【図５】
2005255203.tif 000007
【図６】
2005255203.tif 000008
【図７】
2005255203.tif 000009
【手続補正書】
【提出日】平成17年2月7日(2005.2.7)
【手続補正１】
【補正対象書類名】特許請求の範囲
【補正対象項目名】全文
【補正方法】変更
【補正の内容】
【特許請求の範囲】
【請求項１】
ディスク形状の記録媒体を収納する略箱形の第１のケースと、前記第１のケースに回動自在に枢支され前記第１のケースの開口部を閉じることにより前記第１のケースに収納された前記記録媒体を取り出し困難にする第２のケースとを有するディスク収納ケースにおいて、
前記第１のケースは、
内底面に前記記録媒体の一方の面を支持する支持部を備え、前記記録媒体の一方の面を前記内底面に対向させるように前記支持部により支持し、
前記第２のケースは、
前記支持部に支持された前記記録媒体を前記支持部との間で挟持する挟持手段を備える
ことを特徴とするディスク収納ケース。
【請求項２】
前記第１のケースは、
前記記録媒体の前記第１のケース内での収納位置を位置決めするケース内位置決めガイド手段を備える
ことを特徴とする請求項１に記載のディスク収納ケース。
【請求項３】
前記第１のケースは、
収納された前記記録媒体の回転方向の動きを規制して位置決めする回転方向位置決め手段を備える
ことを特徴とする請求項１に記載のディスク収納ケース。
【請求項４】
前記回転方向位置決め手段は、
２つの位置決め用突起部を備えている
ことを特徴とする請求項３に記載のディスク収納ケース。
【請求項５】
前記２つの位置決め用突起部は、
互いに異なる口径である
ことを特徴とする請求項４に記載のディスク収納ケース。
【請求項６】
前記２つの位置決め用突起部は、
前記ケース内位置決めガイド手段のセンター部からそれぞれ異なる間隔で前記ガイド手段の円周上に配置された
ことを特徴とする請求項５に記載のディスク収納ケース。
【請求項７】
前記第２のケースは、
透明な樹脂材料で形成され、
前記記録媒体を第１のケースに収納して、第１のケースの開口部を閉じた状態にて前記記録媒体のレーベル面を目視可能とする
ことを特徴とする請求項１、請求項２又は請求項３に記載のディスク収納ケース。
【請求項８】
中心孔を有するディスク状に形成されると共に少なくとも一方の面に記録領域が設けられ、所定の収納ケースに収納される記録媒体において、
前記記録領域以外の部位に前記収納ケースの位置決め手段に係合される係合部を備える
ことを特徴とする記録媒体。
【請求項９】
前記係合部は、
一方の面から他方の面に貫通する貫通孔である
ことを特徴とする請求項８に記載の記録媒体。
【手続補正２】
【補正対象書類名】明細書
【補正対象項目名】００１２
【補正方法】変更
【補正の内容】
【００１２】
また請求項８の発明においては、中心孔を有するディスク状に形成されると共に少なくとも一方の面に記録領域が設けられ、所定の収納ケースに収納されて保管される記録媒体において、記録領域以外の部位に収納ケースの位置決め手段に係合される係合部を備えるようにする。
【手続補正３】
【補正対象書類名】明細書
【補正対象項目名】００１４
【補正方法】変更
【補正の内容】
【００１４】
また請求項８の構成により、中心孔を有するディスク状に形成されると共に少なくとも一方の面に記録領域が設けられ、所定の収納ケースに収納されて保管される記録媒体に適用して、記録領域以外の部位に収納ケースの位置決め手段に係合される係合部を備えることにより、収納ケース内に収納した際に、収納ケースの係合部との係合により回転方向の動きを規制して位置決めすることができる。